(57)【要約】【課題】  ピッキングされ難く、防犯性の高いピンシリンダー錠を提供すること。【解決手段】  ピン穴を有する外筒１にピン穴と鍵穴８とを有する内筒５を回動自在に嵌装し、前記外筒１のピン穴に嵌装した上ピンをバネ３で内筒５側へ付勢し、内筒５のピン穴には下ピン７ａ〜７ｆを摺動可能に嵌装し、合鍵Ｋによって前記上下両ピンの境界線が外筒１と内筒５との境界線であるシェアラインＬに一致するときに内筒５の回動を可能としたピンシリンダー錠である。そして、前記内筒５には該内筒５のピン穴と連通する連通穴１０を１個所又は複数個所設けるとともに、前記連通穴１０には係止部材２０をバネ２６により常時は外筒５方向へ付勢した状態で設け、また、前記係止部材２０に交差する下ピンの外周には、不正解錠用道具により不正解錠しようとする際に、前記係止部材２０が係止されて内筒５の回動を阻止する係合溝３０が形成されている。【選択図】        図９
2006002508.tif 000002
【特許請求の範囲】
【請求項１】
ピン穴を有する外筒にピン穴と鍵穴とを有する内筒を回動自在に嵌装し、前記外筒のピン穴に嵌装した上ピンをバネで内筒側へ付勢し、内筒のピン穴には下ピンを摺動可能に嵌装し、合鍵によって前記上下両ピンの境界線が外筒と内筒との境界線であるシェアラインに一致するときに内筒の回動を可能としたピンシリンダー錠において、
前記内筒には該内筒のピン穴と連通する連通穴を１個所又は複数個所設けるとともに、前記連通穴には係止部材をバネにより常時は外筒方向へ付勢した状態で設け、
また、前記係止部材に交差する下ピンの外周には、不正解錠用道具により不正解錠しようとする際に、前記係止部材が係止されて内筒の回動を阻止する係合溝が形成されていることを特徴とするピンシリンダー錠。
【請求項２】
前記外筒の内周壁には、施錠状態時において前記係止部材の一部が嵌合する嵌合凹部が形成してある請求項１に記載のピンシリンダー錠。
【請求項３】
前記係止部材は複数個設けるとともに、これらの複数個の係止部材は連結部材で一体に設けてある請求項１または２に記載のピンシリンダー錠。
【発明の詳細な説明】
【技術分野】
【０００１】
本発明は、ピッキングするのを防止できるピンシリンダー錠に関する。
なお、ピッキングとは、内筒に回転力を与えながら、特殊な不正解錠用の道具で下ピンを押し上げて、上ピンと下ピンの境界線を内筒と外筒との境界線であるシェアラインに一致させることにより、合鍵を使用することなく内筒を回転させて不正に解錠することを言う。
【背景技術】
【０００２】
従来、この種のピンシリンダー錠としては、図１４〜図１６に示すようなものが知られている。図１４は内筒に解錠方向への回転力を与えながら、不正解錠用の道具（図示せず）で下ピンを押し上げた初期段階におけるピッキング状態を示した縦断面図、図１５は図１４より更に下ピンを押し上げることにより生じる上ピンの回動力による内筒の復元後で、ピッキング完了寸前の状態を示した縦断面図、図１６はピッキング完了状態を示した縦断面図である。
【０００３】
上記従来のピンシリンダー錠を図１４〜図１６に沿って以下に説明する。ピン穴０２を有する外筒０１にピン穴０６と鍵穴０８とを有する内筒０５を回動自在に嵌装し、前記外筒０１のピン穴０２にバネ０３で内筒０５側へ付勢した上ピン０４を、内筒０５のピン穴０６に略円柱状の下ピ０７をそれぞれ摺動可能に嵌装している。この上下両ピン０４、０７の境界線が外筒０１と内筒０５との境界線であるシェアラインＬに一致するときに内筒０５の回動を可能としたピンシリンダー錠である。この場合の上ピン０４は、周知の円柱状のものに比べて、先端に鍔部０４ｍを有している点では工夫がなされている。
【０００４】
しかしながら、上記従来例のピンシリンダー錠において、図１４に示すように、内筒０５の鍵穴０８に不正解錠用の道具（図示せず）を挿入して、該内筒０５に解錠方向への回転力を与えながら下ピン０７を押し上げた初期段階では、上ピン０４の鍔部０４ｍが、内筒０５のピン穴０６の開口縁部に形成した切欠部０５ａに係合するため内筒０５を回動することができない。
【０００５】
図１４の状態より不正解錠用道具で下ピン０７を更に押し上げて行くと、上ピン０４と外筒０１のピン穴０２との当接点Ｘを支点にして上ピン０４に回動力が作用するため内筒０５が復元状態となり、図１５に示すように、ピッキング完了寸前の状態となる。この図１５の状態より更に下ピン０７を押し上げると、図１６に示すようにピッキングが完全に完了した状態となり、上ピン０４と下ピン０７の境界線は外筒０１と内筒０５との境界線Ｌと一致して、内筒０５を解錠方向に回動でき解錠可能となり、ピッキングされてしまうという問題があった。
【発明の開示】
【発明が解決しようとする課題】
【０００６】
本発明は、上記課題を解決しようとするものであって、ピッキングされ難く、防犯性の高いピンシリンダー錠を提供することを目的とする。
【課題を解決するための手段】
【０００７】
上記目的を達成するため、本発明の請求項１のピンシリンダー錠は、ピン穴を有する外筒にピン穴と鍵穴とを有する内筒を回動自在に嵌装し、前記外筒のピン穴に嵌装した上ピンをバネで内筒側へ付勢し、内筒のピン穴には下ピンを摺動可能に嵌装し、合鍵によって前記上下両ピンの境界線が外筒と内筒との境界線であるシェアラインに一致するときに内筒の回動を可能としたピンシリンダー錠において、前記内筒には該内筒のピン穴と連通する連通穴を１個所又は複数個所設けるとともに、前記連通穴には係止部材をバネにより常時は外筒方向へ付勢した状態で設け、また、前記係止部材に交差する下ピンの外周には、不正解錠用道具により不正解錠しようとする際に、前記係止部材が係止されて内筒の回動を阻止する係合溝が形成されていることを特徴とする。
【０００８】
請求項２のピンシリンダー錠は、上記請求項１のピンシリンダー錠において、前記外筒の内周壁には、施錠状態時において前記係止部材の一部が嵌合する嵌合凹部が形成してあることを特徴とする。
【０００９】
請求項３のピンシリンダー錠は、上記請求項１または２のピンシリンダー錠において、前記係止部材は複数個設けるとともに、これらの複数個の係止部材は上部を連結部材で一体に設けてあることを特徴とする。                                     
【発明の効果】
【００１０】
請求項１のピンシリンダー錠によれば、内筒には該内筒のピン穴と連通する連通穴を１個所又は複数個設けるとともに、前記連通穴には係止部材をバネにより常時は外筒方へ付勢した状態で設け、また、前記係止部材に交差する下ピンの外周には、不正解錠用道具により不正解錠しようとする際に、前記係止部材が係止されて内筒の回動を阻止する係合溝が形成されているから、不正に解錠しようとする者が内筒に回転力を与えながら、錠状態にあるピンシリンダー錠の鍵穴に不正解錠用道具を挿入して下ピンを押し上げてピッキングしようとした場合、前記係止部材は内筒のピン穴方向へ移動してその係止部が下ピンの係合溝に係合されて、下ピンの移動が不可能となる。そのため、内筒を解錠方向へ解錠することができずピッキングを防止することができる。
また、不正解錠用道具で下ピンを押し上げることなく、内筒に対して解錠方向へ急激な回転力を付与した場合には、前記係止部材は下ピンの他の係合溝に係合されて、下ピンの移動が不可能となるため、前記と同様にピッキングを防止できる。
【００１１】
請求項２のピンシリンダー錠によれば、前記外筒の内周壁には、施錠状態時において前記係止部材の一部が嵌合する嵌合凹部が形成してあるから、上記請求項１記載の効果をより確実に達成することができる。
【００１２】
請求項３のピンシリンダー錠によれば、係止部材は複数個設けるとともに、これらの複数個の係止部材は連結部材で一体に設けてあるから、内筒の連通穴ごとに係止部材をそれぞれセットする作業が簡略化できるとともに、係止部材が複数個の場合において該係止部材を付勢するバネの数を少なくすることができる。
【実施例１】
【００１３】
本発明の実施例１を図１〜図１２に基づいて以下に説明する。
このピンシリンダー錠は、ピン穴２ａ、２ｂ、２ｃ、２ｄ、２ｅ、２ｆを有する外筒１に、ピン穴６ａ、６ｂ、６ｃ、６ｄ、６ｅ、６ｆと鍵穴８とを有する内筒５を回動自在に嵌装し、前記外筒１のピン穴２ａ〜２ｆにはバネ３…３で内筒５側へ付勢した上ピン４ａ、４ｂ、４ｃ、４ｄ、４ｅ、４ｆを、内筒５のピン穴６ａ〜６ｆには下ピン７ａ、７ｂ、７ｃ、７ｄ、７ｅ、７ｆをそれぞれ摺動可能に嵌装している。なお、外筒１のピン穴２ａ〜２ｆはカバー１ Ａで被覆されている。
【００１４】
そして、図８及び図９に示すように、正規な合鍵Ｋを内筒５の鍵穴８に差し込んだとき
に、上下両ピン４ａ〜４ｆ、７ａ〜７ｆの境界線９ａ〜９ｆが、外筒１と内筒５との境界線であるシェアラインＬに一致するときに内筒５の回動ができ、内筒５の回動によって施解錠部材（図示せず）を作動させて施解錠できるようにしてなるものである。
【００１５】
前記内筒５には該内筒５のピン穴６ａ〜６ｆと連通する連通穴１０が１個所又は複数個所（本実施例では６個所であるが、１個所でもよい。）設けてあるとともに、前記連通穴１０には係止部材２０がバネ２６により常時は外筒方向へ付勢した状態で設けてある。
【００１６】
上記連通穴１０は、内筒５のピン穴６ａ〜６ｆと連通するとともに係止部材２０が摺動できるものであれば、特にその形状は限定されず適宜設計できる。
【００１７】
また、係止部材２０は、本発明では任意に選定できるものであるが、この実施例では、係止部２５を複数個設けるとともに、これらの複数の係止部２５…２５の基端部は、図３、図４及び図７に示されているように、中央部を外筒１側へ突出する突出部２２とするとともに左右両側をテーパ面２３、２３とした板状体その他任意の形状からなる連結部材２１で一体に設けてある。
このように係止部材２０の各係止部２５…２５を一本の連結部材２１で一体に連結しておくと、この連結部材２１を把持して各係止部２５…２５を対向する連通穴１０…１０に位置合わせするだけで、各係止部２５…２５が対向する連通穴１０…１０に同時に嵌挿できるので、係止部材２０の連通穴１０への組付作業が簡単で作業能率が向上する。
また、各係止部２５…２５を外筒１方向へ常時に付勢するためのバネ２６は、各係止部２５ごとに設ける必要がなく、例えば図４に示されるように同図で左右両端の２個所でけでもよいので、バネ２６の個数が減少できる利点がある。
【００１８】
なお、係止部材２０を外筒１方向へ付勢するバネ２６は、係止部材２０の左右両側のテーパ面２３，２３下面に形成した鍔部２４，２４（図３、４，９〜１２）と、連通穴１０の先端側（下部）に形成した環状の段部１１との間に設けている。また、各連通穴１０…１０の外面には、図３、図６、図９〜図１２に示されるように、係止部材２０が装着され、係止部２５が下ピン７ａ〜７ｆの係合溝３０に係脱する範囲で移動できる深さを有した長穴状の凹部１２が形成されている。
【００１９】
また、前記係止部材２０に交差する下ピン７ａ〜７ｆの外周には、不正解錠用道具（図示せず）により不正解錠しようとする際に、前記係止部材２０の係止部２５が係止されて内筒５の回動を阻止する係合溝３０が形成されている。
この係合溝３０は、係止部材２０の係止部２５の形状に対応して決定されるものである。
なお、この実施例においては、図２や図８に示しているように、下ピン７ｂ、７ｃの係合溝３０には幅の広い係合溝３１を一部に設けてあるが、これは下ピン７ｂ、７ｃと上ピン４ｂ、４ｃとの間に公知のマスターキー装置用のマスターピン３２、３３のピンを設けてあるため、シェアラインが２個所できるので、その分対応出きるように広くしてあるのである。
【００２０】
なお、図３、図９〜図１２では、内筒５の正面（合鍵の差し込み口）に最も近い第１番目の下ピン７ａを示しているとともに、この下ピン７ａの係合溝３０に係脱自在に係合される係止部材２０の係止部２５などを示している。第２・第３・第４・第５及び第６番目の下ピン７ｂ、７ｃ、７ｄ、７ｅ、７ｆと、それらに対向する係止部２５・２５・２５・２５などの図示は、原理的には前記図３、図９〜図１２と同様になるので省略してある。
【００２１】
一方、前記外筒１の内周壁には、図３に示すように、施錠状態時において前記係止部材２０の一部（突出部２２とその近辺）が嵌合する嵌合凹部４０が形成してある。すなわち、図３及び図４に示されているように、前記バネ２６により係止部材２０の一部（突出部２２とその近辺）が、外筒１の内周壁に形成された前記嵌合凹部４０に嵌合されている。
【００２２】
上記実施例１のピンシリンダー錠の作用について以下に説明する。
図１〜図４は、合鍵Ｋを施錠方向に回動してから扉錠の錠杆（図示せず）を枠側の受穴（図示せず）に係合し、該合鍵Ｋを鍵穴８から引き抜き施錠状態とした場合を示している。この場合においては、上下両ピンの境界線である９ａ〜９ｆは、外筒と内筒の境界線であるシェアラインＬとは一致しない（図２参照）。それとともに、係止部材２０の一部はバネ２６により外筒１に形成された嵌合凹部４０に嵌合されている（図３、４参照）。
【００２３】
上記施錠状態において、図８及び図９に示すように鍵穴８に合鍵Ｋを挿入して、図１０に示すように内筒５を回動すると、係止部材２０はテーパ面２３の作用により前記嵌合凹部４０から離脱されて内筒５のピン穴６ａ（６ｂ〜６ｆ）側へ移動するとともに、係止部材２０の係止部２５は下ピン７ａの上から３番目の係合溝３０に係合される。そして、下ピン７ａと係止部材２０との上端はシェアラインＬに一致して内筒５と一体的に回動されるので、合鍵Ｋにより施錠・解錠操作ができるのである。
【００２４】
次に、施錠状態の本発明のピンシリンダー錠（図３参照）に対して、不正解錠しようとする者が、ピッキング用の特殊な工具（つまり不正解錠用の道具 ）を内筒５の鍵穴８に挿入して、下ピン７ａを図１１の位置まで押し上げながら内筒５に解錠方向への回転力を与えると、係止部材２０はテーパ面２３の作用により内筒５側へ移動し、その係止部２５が該下ピン７ａの上から２番目の係合溝３０に係合する。この状態では下ピン７ａの上端がシェアラインＬと一致しない位置で固定されるので、上ピン４ａの先端は内筒５のピン穴６ａに進入してシェアラインＬを跨ぐ状態となり内筒５は回動できない。なお、この状態では係止部材２０は外筒１の嵌合凹部４０と対応しない位置にあり、外筒１方向への移動ができないため、下ピン７ａを移動させることはできない。従って、不正解錠用道具 で下ピン７ａを更に押し上げることができないので、上下両ピン４ａ、７ａの境界線９ａをシェアラインＬに一致させて解錠することができず、ピッキングされない防犯性の高いピンシリンダー錠が提供される。
【００２５】
また、図１２に示すように、不正解錠用道具 （図示せず）により、下ピン７ａを上げることなく直接に、内筒５に解錠方向への回転力を与えて、係止部材２０の係止部２５が対応する下ピン７ａの上から１番目の係合溝３０に係合したとする。すると、この状態では上ピン４ａの先端は内筒５のピン穴６ａに進入してシェアラインＬを跨ぐだけでなく、係止部材２０の係止部２５が下ピン７ａの１番目の係合溝３０に係合しているため、内筒５を回動することができない。従って、上記方法によって、上下両ピンの境界線をシェアラインＬに一致させて解錠することができず、ピッキングされない防犯性の高いピンシリンダー錠が提供される。
【実施例２】
【００２６】
本発明の実施例２を図１３に基づいて以下に説明する。
この実施例２は、係止部材２０を１個又は複数個を設けるとともに、複数個を設けた場合には、該複数個の係止部材２０…２０の全部を実施例１の如く連結部材２１で一体に連結することなく、各係止部材２０をそれぞれ独立して内筒５の連通穴１０に設けてなるものである。それゆえ、各係止部材２０を外筒１方向へ付勢するバネ２６も、それぞれ独立して設けてある。
【００２７】
また、この場合の係止部材２０は、図３や図９に示されるような突出部２２やテーパ面２３や鍔部２４や係止部２５を同様に有している。さらに、上ピン４ａ〜４ｆ、下ピン７ａ〜７ｆ、連通穴１０、係合溝３０及び嵌合凹部４０等は、実施例１と同様に設けているので、詳細は実施例１を参照するとよい。
また、この実施例２の作用は実施例１の作用と同様であるので、それを参照するとよい。
【００２８】
なお、内筒５に形成した連通穴１０は、内筒５の軸長手方向に、実施例１では下ピンの個数に対応する６個所に形成し、実施例２では下ピンの第１、第６番目に対応する２個所に、適当間隔をおいて設けているが、上記６個所又は２個所に限らずその他の複数個所に設けることもできる。また、両実施例とも１個所だけ設けることもできる。さらに、連通穴１０は内筒５の軸長手方向に１列に限らず、タンブラーピンの設定如何によっては２列以上に設けることもできる。なお、連通穴１０の形状は図示のものに限らず適宜設計変更できるものである。
【００２９】
その他、係止部材２０の形状は、図示のものに限定されるものではなく適宜設計変更できるし、その係止部２５も任意に選定することができる。例えば、図示しないが、係止部材２０の先端部を断面がのこ歯状の係止部２５として形成するとともに、こののこ歯状係止部２５が係合される、下ピン５に形成された係合溝３０ものこ歯状に形成することができる。これによれば、不正解錠用道具 でピッキングを試みられた場合に、係止部材２０の係止部２５と下ピンの係合溝３０との係合が深く食い込むため、不正解錠用道具 による下ピンに対する押し上げが確実に阻止される利点がある。
【００３０】
また、係止部材２０の個数は、ピッキング対応の下ピンの個数だけ設ければ良く、１個又は２個以上設けると良い。
【００３１】
係止部材２０を外筒１方向へ付勢するバネ２６の設け方は、図示のものに限らないし、その個数も任意である。
【００３２】
実施例１の連結部材２１は、図４及び図７のものに限定されず適宜設定変更できる。また係止部材２０を２〜５個設ける場合には、図４及び図７に示すものより短くなるのは勿論である。
【産業上の利用可能性】
【００３３】
本発明のピンシリンダー錠は、建物のみならず車両や家具などの扉等に取り付けられて、ピッキングを防止できる防犯錠として採用できるものである。
【図面の簡単な説明】
【００３４】
【図１】本発明の実施例１の施錠状態の正面図である。
【図２】実施例１の施錠状態の縦断面図である。
【図３】図２のＩＩＩ−ＩＩＩ線断面図である。
【図４】図３のＩＶ−ＩＶ線断面図である。
【図５】外筒の斜視図である。
【図６】内筒を示す図であり、（ Ａ）は内筒の斜視図，（Ｂ）は上記（Ａ）の縦断面図、（Ｃ）は上記（ Ａ）のＶＩ−ＶＩ線断面図である。
【図７】係止部材と連結部材とを示した斜視図である。
【図８】内筒の鍵穴に合鍵を挿入した状態の縦断面図である。
【図９】内筒の鍵穴に合鍵を挿入した状態の断面図である。
【図１０】図９の状態より内筒を合鍵で回動した状態の断面図である。
【図１１】不正解錠用道具 により下ピンを押し上げてピッキングを試みた状態の断面図である。
【図１２】下ピンを押し上げることなく内筒に回転力を与えて解錠しようと試みた状態の断面図である。
【図１３】本発明の実施例における図４に相当する断面図である。
【図１４】従来例のピンシリンダー錠に対するピッキング初期状態の縦断面図である。
【図１５】図１４の状態より更に下ピンを押し上げることにより上ピンが回転して内筒が復元する寸前であり、ピッキング完了寸前の状態を示した従来例の縦断面図である。
【図１６】ピッキング完了状態を示した従来例の縦断面図である。
【符号の説明】
【００３５】
１        外筒
２        ピン穴
３        バネ
４        上ピン
５        内筒
６        ピン穴
７ａ〜７ｆ  下ピン
８        鍵穴
１０      連通穴
２０      係止部材
２１      連結部材
２５      係止部
２６      バネ
３０      係合溝
４０      嵌合凹部
Ｌ        シェアライン（外筒と内筒の境界線）
Ｋ        合鍵
【図１】
2006002508.tif 000003
【図２】
2006002508.tif 000004
【図３】
2006002508.tif 000005
【図４】
2006002508.tif 000006
【図５】
2006002508.tif 000007
【図６】
2006002508.tif 000008
【図７】
2006002508.tif 000009
【図８】
2006002508.tif 000010
【図９】
2006002508.tif 000011
【図１０】
2006002508.tif 000012
【図１１】
2006002508.tif 000013
【図１２】
2006002508.tif 000014
【図１３】
2006002508.tif 000015
【図１４】
2006002508.tif 000016
【図１５】
2006002508.tif 000017
【図１６】
2006002508.tif 000018
【手続補正書】
【提出日】平成17年7月29日(2005.7.29)
【手続補正１】
【補正対象書類名】明細書
【補正対象項目名】０００３
【補正方法】変更
【補正の内容】
【０００３】
上記従来のピンシリンダー錠を図１４〜図１６に沿って以下に説明する。ピン穴０２を有する外筒０１にピン穴０６と鍵穴０８とを有する内筒０５を回動自在に嵌装し、前記外筒０１のピン穴０２にバネ０３で内筒０５側へ付勢した上ピン０４を、内筒０５のピン穴０６に略円柱状の下ピン０７をそれぞれ摺動可能に嵌装している。この上下両ピン０４、０７の境界線が外筒０１と内筒０５との境界線であるシェアラインＬに一致するときに内筒０５の回動を可能としたピンシリンダー錠である。この場合の上ピン０４は、周知の円柱状のものに比べて、先端に鍔部０４ｍを有している点では工夫がなされている。
【手続補正２】
【補正対象書類名】明細書
【補正対象項目名】００１０
【補正方法】変更
【補正の内容】
【００１０】
請求項１のピンシリンダー錠によれば、内筒には該内筒のピン穴と連通する連通穴を１個所又は複数個設けるとともに、前記連通穴には係止部材をバネにより常時は外筒方へ付勢した状態で設け、また、前記係止部材に交差する下ピンの外周には、不正解錠用道具により不正解錠しようとする際に、前記係止部材が係止されて内筒の回動を阻止する係合溝が形成されているから、不正に解錠しようとする者が内筒に回転力を与えながら、施錠状態にあるピンシリンダー錠の鍵穴に不正解錠用道具を挿入して下ピンを押し上げてピッキングしようとした場合、前記係止部材は内筒のピン穴方向へ移動してその係止部が下ピンの係合溝に係合されて、下ピンの移動が不可能となる。そのため、内筒を解錠方向へ回動することができずピッキングを防止することができる。
また、不正解錠用道具で下ピンを押し上げることなく、内筒に対して解錠方向へ急激な回転力を付与した場合には、前記係止部材は下ピンの他の係合溝に係合されて、下ピンの移動が不可能となるため、前記と同様にピッキングを防止できる。
【手続補正３】
【補正対象書類名】明細書
【補正対象項目名】００３４
【補正方法】変更
【補正の内容】
【００３４】
【図１】本発明の実施例１の施錠状態の正面図である。
【図２】実施例１の施錠状態の縦断面図である。
【図３】図２のＩＩＩ−ＩＩＩ線断面図である。
【図４】図３のＩＶ−ＩＶ線断面図である。
【図５】外筒の斜視図である。
【図６】内筒を示す図であり、（ Ａ）は内筒の斜視図，（Ｂ）は上記（Ａ）の縦断面図、（Ｃ）は上記（ Ａ）のＶＩ−ＶＩ線断面図である。
【図７】係止部材と連結部材とを示した斜視図である。
【図８】内筒の鍵穴に合鍵を挿入した状態の縦断面図である。
【図９】内筒の鍵穴に合鍵を挿入した状態の断面図である。
【図１０】図９の状態より内筒を合鍵で回動した状態の断面図である。
【図１１】不正解錠用道具 により下ピンを押し上げてピッキングを試みた状態の断面図である。
【図１２】下ピンを押し上げることなく内筒に回転力を与えて解錠しようと試みた状態の断面図である。
【図１３】本発明の実施例２における図４に相当する断面図である。
【図１４】従来例のピンシリンダー錠に対するピッキング初期状態の縦断面図である。
【図１５】図１４の状態より更に下ピンを押し上げることにより上ピンが回転して内筒が復元する寸前であり、ピッキング完了寸前の状態を示した従来例の縦断面図である。
【図１６】ピッキング完了状態を示した従来例の縦断面図である。